(57)【要約】【課題】  開封機能付き包装箱として、物品収納後の蓋部を粘着テープや接着剤を用いずに確実に封緘でき、簡単な操作で箱を壊さずに容易に開封でき、開封機能部の形成部分に充分な強度を確保でき、開封機能部自体も衝撃による破れを生じにくいものを提供する。【解決手段】  差し込み口２２及びジッパー２３を設けた内側蓋フラップ１６と、差込み片２０及びカバー片２１を設けた外側蓋フラップ１７とを備え、差込み片２０の一部がロック部２０ｂを形成する。カバー片２１は上向きに曲折可能であり、封緘状態においてジッパー２３の破断始端部２３ｂ側を除く過半部を覆う。封緘時、差込み口２２に差込み片２０を挿嵌後、ロック部２０ａの向きが箱内で自然に戻ることにより、差込み片２０が差込み口２２から抜出不能にロックされる。開封時、ジッパー２３を破断することにより、破断部分からロック部２０ｂが外側へ抜出可能になってロック解除される。【選択図】        図８
2006168732.tif 000002
【特許請求の範囲】
【請求項１】
差込み口及びロック解除用破断部を設けた内側蓋フラップと、差込み片及びカバー片を
設けた外側蓋フラップとを備え、
前記差込み片の一部がロック部を形成すると共に、前記差込み口が該差込み片のロック
部を強制変形させた一定姿勢でのみ当該差込み片の挿嵌を許容する形状を有し、
前記カバー片は、封緘状態において前記ロック解除用破断部の過半部を覆うと共に、上
向きに曲折可能であり、
封緘時に前記差込み口に前記差込み片を挿嵌後、そのロック部の変形が箱内で自然に戻
ることにより、該差込み片が差込み口から抜出不能にロックされる一方、開封時に前記ロ
ック解除用破断部を破断することにより、その破断部分から前記ロック部が外側へ抜出可
能になってロック解除されるように構成されてなる開封機能付き包装箱。
【請求項２】
ロック解除用破断部が内側蓋フラップの端を破断始端部として前記差込み口における差
込み片ロック部の挿通位置に至るジッパーからなり、前記カバー片が該ジッパーの破断始
端部を除く過半部を覆うように構成されてなる請求項１記載の開封機能付き包装箱。
【請求項３】
前記差込み片は、外側蓋フラップ本体の先端側に連設されて内向きに折曲する帯状挿嵌
部と、該帯状挿嵌部の長手方向両端から舌片状に張出した一対のロック部とからなり、
前記差込み口は、前記差込み片の帯状挿嵌部を挿嵌させる主スリット部と、この主スリ
ット部の両端から曲折して連続し、前記差込み片のロック部を通過させる副スリット部と
で構成される請求項１又は２に記載の開封機能付き包装箱。
【発明の詳細な説明】
【技術分野】
【０００１】
この発明は、例えば通信販売される商品の発送に用いる通販用包装箱を始めとして、種
々の物品を収容する段ボールや板紙等の紙製又はプラスチック製の開封機能付き包装箱に
関する。
【背景技術】
【０００２】
一般に、通信販売等の商品は包装箱に収納して顧客へ発送されるが、受け取った顧客が
カッターナイフ等で開封する際に、内部の商品を損傷させることがある。そこで、近年に
おいては、開封機能付き包装箱として、蓋部を構成する内側蓋フラップと外側蓋フラップ
との重なり部分を接着して封緘すると共に、その外側蓋フラップに設けたジッパーや切目
線の破断によって蓋部を開放可能としたものが多用されている（特許文献１〜３）。しか
るに、このように蓋部を接着によって封緘するものでは、粘着テープや接着剤を用いるた
めに封緘に手間がかかると共に材料費も高くつき、省資源の観点からも難があり、また粘
着テープは廃棄時の分別が必要になる。
【特許文献１】特開平１０−３１０１３０号公報
【特許文献２】特開平１１−２７８４６１号公報
【特許文献３】特開２００３−２６７３５３号公報  一方、物品収納後の蓋部を粘着テープや接着剤を用いずに差込み式で封緘するようにした開封機能付き包装箱も知られる。この差込み式の封緘では、外側蓋フラップに設けた差込み片の一部を強制的に曲げた状態で内側蓋フラップの差込み口に差し込み、該差込み片の曲げ部分の戻りによって差込み口から抜出不能にする。そして、開封については、差込み片自体を破断する方式や、差込み部分以外に開封用破断部を設ける方式があり、例えば外側蓋フラップから前壁にわたって設けた切目線で破断して箱を破壊する形で開封するものも提案されている（特許文献４）。
【特許文献４】特開２００４−３５０８０号公報  しかしながら、差込み片自体を破断して開封する方式では、該差込み片に破断用の切目を設けるために封緘部の強度が低下し、取扱い中の負荷によって不用意に破断を生じ易くなる。また、差込み部分以外に開封用破断部を設ける方式でも、構造的に弱い部分が余分にできて強度低下を招き、箱の組立や封緘の操作にも慎重さを要して作業性が悪くなる他、開封によって箱が破壊される構成では通販での返品等に利用できないために不便である。更に、接着による封緘を行うものも含めて、開封部に形成するジッパーや切目線は、取扱い中や搬送・保管中に物品が当たったりして衝撃を受けた場合に、その部分に破れを生じ易いという基本的な問題もあった。
【発明の開示】
【発明が解決しようとする課題】
【０００３】
この発明は、上述の事情に鑑みて、開封機能付き包装箱として、物品収納後の蓋部を粘
着テープや接着剤を用いずに確実に封緘できる一方、物品を取り出す際には簡単な操作で
箱を壊さずに容易に開封でき、しかも開封機能部の形成部分に充分な強度を確保できると
共に、開封機能部自体も衝撃による破れを生じにくいものを提供することを目的としてい
る。
【課題を解決するための手段】
【０００４】
上記目的を達成するために、請求項１の発明に係る開封機能付き包装箱は、差し込み口
及びロック解除用破断部を設けた内側蓋フラップと、差込み片及びカバー片を設けた外側
蓋フラップとを備え、前記差込み片の一部がロック部を形成すると共に、前記差込み口が
該差込み片のロック部を強制変形させた一定姿勢でのみ当該差込み片の挿嵌を許容する形
状を有し、前記カバー片は、封緘状態において前記ロック解除用破断部の過半部を覆うと
共に、上向きに曲折可能であり、封緘時に前記差込み口に前記差込み片を挿嵌後、そのロ
ック部の変形が箱内で自然に戻ることにより、該差込み片が差込み口から抜出不能にロッ
クされる一方、開封時に前記ロック解除用破断部を破断することにより、その破断部分か
ら前記ロック部が外側へ抜出可能になってロック解除されるように構成されている。
【０００５】
また、請求項２の発明では、上記請求項１の開封機能付き包装箱において、ロック解除
用破断部が内側蓋フラップの端を破断始端部として前記差込み口における差込み片ロック
部の挿通位置に至るジッパーからなり、前記カバー片が該ジッパーの破断始端部を除く過
半部を覆うように構成されている。
【０００６】
更に、請求項３の発明は、上記請求項１又は２の開封機能付き包装箱において、差込み
片は、外側蓋フラップ本体の先端側に連設されて内向きに折曲する帯状挿嵌部と、該帯状
挿嵌部の長手方向両端から舌片状に張出した一対のロック部とからなり、前記差込み口は
、前記差込み片の帯状挿嵌部を挿嵌させる主スリット部と、この主スリット部の両端から
曲折して連続し、前記差込み片のロック部を通過させる副スリット部とで構成されるもの
としている。
【発明の効果】
【０００７】
請求項１の発明に係る開封機能付き包装箱では、物品収納後に内側蓋フラップの差込み
口に外側蓋フラップの差込み片を挿嵌するだけで、該差込み片がそのロック部の向きの変
化で抜出不能にロックされるため、粘着テープや接着剤を用いずに差込み式で確実に封緘
できる一方、物品取り出しの際にはロック解除用破断部を破断するだけで、その破断部分
から前記ロック部が外側へ抜出可能となってロック解除されるから、箱の基本形態を保っ
たまま上側及び下側の蓋フラップを開く形で容易に開封でき、開封後の箱を返品用等に再
利用可能である。しかして、ロック解除用破断部はその破断部分より差込み片のロック部
が抜出できればよいから、内側蓋フラップの破断領域を小さくして封緘状態における蓋部
の耐圧強度を確保できると共に、封緘状態ではロック解除用破断部の過半部が外側蓋フラ
ップのカバー片で覆われているため、取扱い中や搬送・保管中におけるロック解除用破断
部に対する物品等の衝当や押圧による破断が防止され、また開封時には該カバー片の上向
き曲折によってロック解除用破断部の破断操作を容易に行える。
【０００８】
請求項２の発明によれば、上記の封機能付き包装箱の開封用破断部がジッパーからなり
、且つその破断始端部がカバー片に覆われずに露呈して手掛かりし易いことから、開封時
の破断操作をより容易に行える。
【０００９】
請求項３の発明によれば、上記の開封機能付き包装箱において、外側蓋フラップが先端
側で差込み片を介して内側蓋フラップにロックされると共に、そのロック位置が差込み片
の両側にあるため、封緘時の外側蓋フラップが強固で安定した係止状態になる。
【発明を実施するための最良の形態】
【００１０】
以下、この発明に係る開封機能付き包装箱の実施形態について、図面を参照して具体的
に説明する。図１〜図６は第一実施形態の包装箱Ｂ１、図７〜図９は第二実施形態の包装
箱Ｂ２をそれぞれ示す。
【００１１】
第一実施形態の包装箱Ｂ１は、図１の展開状態で示すように、段ボールや厚紙又はプラ
スチックからなるシート状原材の打ち抜きプレスによって得られる一枚のシートＳ１にて
構成されている。このシートＳ１は、前後板部１，２と左右側板部３，４及び糊付け用フ
ラップ５が縦折り線ａ…を介して横並びに連設され、前後板部１，２の各上縁には横折り
線ｂを介して外側蓋フラップ６が、同各下縁に横折り線ｄを介して外側底フラップ８が、
左右側板部３，４の各上縁に横折り線ｃを介して内側蓋フラップ７が、同各下縁に横折り
線ｅを介して内側底フラップ９がそれぞれ延設されている。なお、フラップ６〜９の各対
は同一形状に設定されている。
【００１２】
外側蓋フラップ６の先端側には、中央に位置する差込み片１０と、左右一対の横長のカ
バー片１１，１１とがそれぞれ横折り線ｆ，ｇを介して連設されている。この差込み片１
０は、横折り線ｄの全長に対応した帯状挿嵌部１０ａと、該帯状挿嵌部１０ａの左右両側
に縦折り線ｈを介して舌片状に張出したロック部１０ｂ，１０ｂとで構成されている。そ
して、外側蓋フラップ６の横折り線ｂ，ｆの間隔が側板部３の幅の略１／２に設定される
と共に、横折り線ｆの延長線上に両カバー片１１，１１の先端縁が位置し、もって各カバ
ー片１１は差込み片１０のロック部１０ｂの内側に配置している。
【００１３】
内側蓋フラップ７には先端縁中央に開く逆Ｔ字形スリット７ａが形成されており、図２
に示すように、箱組立状態で対向する左右の内側蓋フラップ７，７間に、両側のスリット
７ａ，７ａにより、左右方向に沿う主スリット部１２ａの両端に連続して前後方向に沿う
副スリット部１２ｂ，１２ｂを有する差込み口１２が構成される。また、各内側蓋フラッ
プ７の基端中央には横折り線ｃに沿う切込み７ｂが設けられると共に、この切込み７ｂと
逆Ｔ字形スリット７ａつまり差込み口１３の副スリット部１２ｂとの間に平行形成された
２本の破断線１３ａ，１３ａにより、切込み７ｂを破断始端部とするジッパー１３が構成
されている。
【００１４】
このようなシートＳ１から包装箱Ｂ１を作製するには、前後板部１，２及び左右側板部
３，４を縦折り線ａ…で折り曲げて糊付け用フラップ５を右側板部４の内面に接着して四
周枠部を形成すると共に、各外側底フラップ８の隅角部に４５度の斜め折り線ｉを介して
設けた止着片８ａを、隣接する内側底フラップ９の外面に接着してＬ字形の底半部を形
成する。かくして得られた包装箱Ｂ１は、ボトムロック式組立箱として使用前には四周枠
部を平行四辺形状に偏平化した折畳み形態にできるものであり、この折畳み形態において
一対のＬ字形の底半部が各々斜め折り線ｉで上方へ山折りにして箱内側へ折り込まれてお
り、箱型に組み立てる際、平行四辺形状に偏平化していた四周枠部を矩形に拡げることに
より、両底半部が自然に平坦化しながら互いに係合して底板を形成する。
【００１５】
組み立てた包装箱Ｂ１は、外側蓋フラップ６，６及び内側蓋フラップ７，７が直立もし
くは外側へ開いた状態で、上方から通販品等の所要の物品を箱内に装填したのち、これら
蓋フラップ６，６，７，７を閉じ合わせて蓋部を封緘する。この封緘においては、まず図
２の如く左右の内側蓋フラップ７，７を内側に折り付けたのち、一方の外側蓋フラップ６
を横折り線ｆで山折りにして差込み片１０が内向きになった状態で内側に折り付けると共
に、該差込み片１０の両側のロック部１０ｂ，１０ｂを帯状挿嵌部１０ａに対して略直角
になるように縦折り線ｈで強制的に内向きに折り曲げた状態として、図３に示すように当
該差込み片１０を両内側蓋フラップ７，７間にわたる差込み口１２に挿嵌し、次いで他方
の外側蓋フラップ６も同様にしてその差込み片１０を同じ差込み口１２に挿嵌することに
より、図４に示すように蓋部を封鎖する。
【００１６】
上記の各差込み片１０の挿嵌操作においては、その帯状挿嵌部１０ａが差込み口１２の
主スリット部１２ａに挿嵌すると共に、両側のロック部１０ｂ，１０ｂが強制的に曲げら
れた状態で副スリット部１２ｂ，１２ｂを通過することになる。しかるに、箱内に入り込
んだ各ロック部１０ｂは、挿嵌時の曲げを強いていた力から解放されるため、帯状挿嵌部
１０ａに対して略直角となる状態から弾性復元力によって曲がりを小さくする方向に向き
を戻し、図５に示すように、差込み口１２の副スリット部１２ｂから大きく逸れ、ジッパ
ー１３の内面側で内側蓋フラップ７に係止される状態となる。従って、図４の如く蓋部を
封鎖した包装箱Ｂ１は、差込み片１０が両側のロック部１０ｂ，１０ｂによって差込み口
１２から抜出不能にロックされ、もって外側及び内側の蓋フラップ６，６，７，７を開放
できない封緘状態になっている。
【００１７】
そして、この封緘状態の包装箱Ｂ１では、図４に示すように、内側蓋フラップ７，７に
設けた各ジッパー１３の切込み７ｂ側を除く過半部が、両外側蓋フラップ６，６のカバー
片１１，１１によって両側から覆われ、該ジッパー１３の両側の破断線１３ａ，１３ａが
破断始端部側の一部だけを露呈している。
【００１８】
上記構成の開封機能付き包装箱Ｂ１にあっては、封緘を担う差込み片１０には開封用破
断部を設けず、内側蓋フラップ７，７にロック解除用としての破断部の小さいジッパー１
３を設けているため、包装箱としての強度を充分に確保できると共に、各ジッパー１３は
封緘状態で過半部が外側蓋フラップ６のカバー片１１で覆われているから、取扱い中や搬
送・保管中における外部の物品等の衝当や外力による直接の押圧から保護され、開封前の
不用意な破断を生じにくい上、各２枚の外側蓋フラップ６，６が各々両側２ヵ所で左右の
内側蓋フラップ７，７にロックされ、蓋部全体として強固で且つバランスよく安定した係
止状態になることから、通販商品を収納して顧客へ発送するのに用いる通販用包装箱等と
して高い信頼性が得られる。また、封緘に粘着テープや接着剤を使用しないため、材料コ
ストが低減されると共に省資源になり、廃棄時の分別も不要となる上、封緘操作も差込み
式で容易に行える。
【００１９】
一方、上記封緘状態の包装箱Ｂ１を開封するには、両側のジッパー１３，１３を破断す
ればよい。すなわち、差込み片１０，１０の各ロック部１０ｂはジッパー１３の内面側で
係止される形になっているから、図６に示すように、両側のジッパー１３，１３を破断す
るだけで、その破断部分からロック部１０ｂ，１０ｂが外側へ抜出可能になってロック解
除され、もって外側蓋フラップ６，６及び内側蓋フラップ７，７を開いて内部の物品を簡
単に取り出すことができる。
【００２０】
しかして、ジッパー１３の破断始端部である切込み７ｂは外側蓋フラップ６のカバー片
１１に覆われておらず、且つ内側蓋フラップ７の基端に位置しているため、箱開封時に該
ジッパー１３を破断する手掛かりが確保され、また該カバー片１１が図６の如く横折れ線
ｇで上向きに曲折可能であり、ジッパー１３を引き上げながら破断してゆくのに支障を生
じず、もって該ジッパー１３の破断操作を容易に行える。
【００２１】
また、開封後の包装箱Ｂ１は、破断によって各内側蓋フラップ７がジッパー１３の破断
で２枚に分離しているが、それ以外は使用前と変わらない箱形態を保持しているから、例
えば通販の購入商品に問題があった場合の返品用包装箱等に再利用できる。なお、返品用
包装箱として用いる場合、各外側蓋フラップ６の差込み片１０を左右の内側蓋フラップ７
，７の各々２枚に分離した間に挿嵌してもロックできないから、ガムテープ等で封緘する
ことになるが、返品受取り側は商品取扱いの専門家であるために開封に支障はない。
【００２２】
第二実施形態の包装箱Ｂ２は、前記第一実施形態の包装箱Ｂ１に対し、蓋部の構造が異
なるが、四周枠部（周壁部）及び底部の構造は同じである。従って、以下においては、該
包装箱Ｂ２の蓋部以外の各構成部について、第一実施形態の包装箱Ｂ１と同一符号を附し
て説明を省略する。
【００２３】
図７は包装箱Ｂ２を構成するシートＳ２を示す。このシートＳ２は、第一実施形態の場
合のシートＳ１と同様に段ボールや厚紙又はプラスチックからなるシート状原材を打ち抜
きプレスしたものであり、前板部１の上縁に横折り線ｂを介して外側蓋フラップ１６が延
設されているが、後板部２の上縁には横折り線ｂを介して内側蓋フラップ１７が延設されると共に、左右側板部３，４の各上縁には横折り線ｃを介して蓋受けフラップ１８が延設されている。
【００２４】
そして、外側蓋フラップ１６の先端側には、中央に位置する差込み片２０と、左右一対
の四角いカバー片２１，２１とがそれぞれ横折り線ｊ，ｋを介して連設されている。この
差込み片２０は、横折り線ｊの全長に対応した帯状挿嵌部２０ａと、該帯状挿嵌部２０ａ
の左右両側に縦折り線ｍを介して舌片状に張出したロック部２０ｂ，２０ｂとで構成され
ている。そして、外側蓋フラップ１６の横折り線ｂ，ｊの間隔が側板部３，４の幅より若
干小さく設定されると共に、横折り線ｊの延長線上に両カバー片２１，２１の先端縁が位
置し、もって各カバー片２１は差込み片２０のロック部２０ｂの内側に配置している。
【００２５】
内側蓋フラップ１７は、後板部２の上縁の略全長から側板部３，４の幅の１／２程度に
延出した横長矩形をなし、その中央部にコ字形スリット状の差込み口２２がコ字形の両先
端をフラップ先端縁側に向ける形で形成されている。また、この内側蓋フラップ１７には
、差込み口２２のコ字形の中央直線部を主スリット部２２ａ、その両端から直角に曲がっ
た両側部を副スリット部２２ｂとして、各副スリット部２２ｂと同じ側のフラップ側縁と
の間に、平行形成された２本の破断線２３ａ，２３ａによってフラップ側縁を破断始端部
２３ｂとするジッパー２３が構成されている。
【００２６】
包装箱Ｂ２を製作するには、上記のシートＳ２を用い、第一実施形態の場合のシートＳ
１と同様に、前後板部１，２及び左右側板部３，４よりなる四周枠部を形成すると共に、
各外側底フラップ８と隣接する内側底けフラップ９とを接着してＬ字形の底半部を形成す
ることにより、使用前の偏平な折畳み形態から四周枠部を矩形に拡げて箱型に組み立てる
ボトムロック式組立箱とすればよい。
【００２７】
組み立てた包装箱Ｂ２は、外側蓋フラップ１６及び内側蓋フラップ１７と蓋受けフラッ
プ１８，１８が直立もしくは外側へ開いた状態で、上方から所要の物品を箱内に装填して
蓋部を封緘する。この封緘においては、図８に示すように、まず左右の蓋受けフラップ１
８，１８を内側に折り付け、次いで内側蓋フラップ１７を内側に折り付けたのち、外側蓋
フラップ１６を横折り線ｊで山折りにして差込み片２０が内向きになった状態で内側に折
り付けると共に、該差込み片２０の両側のロック部２０ｂ，２０ｂを帯状挿嵌部２０ａに
対して略直角になるように縦折り線ｍで強制的に内向きに折り曲げた状態として、当該差
込み片２０を内側蓋フラップ１７の差込み口２２に挿嵌し、図９に示す封緘状態とすれば
よい。
【００２８】
すなわち、上記の差込み片２０の挿嵌操作においては、前記第一実施形態と同様に、帯
状挿嵌部２０ａが差込み口２２の主スリット部２２ａに挿嵌すると共に、両側のロック部
２０ｂ，２０ｂが強制的に曲げられた状態で副スリット部２２ｂ，２２ｂを通過するが、
箱内に入り込んだ各ロック部２０ｂが曲がりを小さくする方向に向きを戻して副スリット
部２２ｂから大きく逸れる形になる。従って、差込み片２０は両側のロック部２０ｂ，２
０ｂによって差込み口２２から抜出不能にロックされ、外側及び内側の蓋フラップ１６，
１７を開放できない封緘状態になる。そして、この封止状態の包装箱Ｂ２でも、図９に示
すように、内側蓋フラップ１７に設けた各ジッパー２３の破断始端部２３ｂ側を除く過半
部が外側蓋フラップ１６のカバー片２１によって覆われ、両側の破断線２３ａ，２３ａの
一部だけが露呈している。
【００２９】
上記構成の開封機能付き包装箱Ｂ２は、外側及び内側の蓋フラップが前記第一実施形態
の包装箱Ｂ１では各２枚であるの対して各１枚であるという違いはあるが、やはり第一実
施形態と同様に、差込み片２０には開封用破断部を設けず、内側蓋フラップ１７に破断部
の小さいジッパー２３を設けているため、包装箱としての強度を充分に確保できると共に
、各ジッパー２３の各々過半部が外側蓋フラップ１６のカバー片２１で覆われているから
、取扱い中や搬送・保管中における外部の物品等の衝当や外力による直接の押圧から保護
され、開封前の不用意な破断を生じにくく、また外側蓋フラップ１６が両側２ヵ所で内側
蓋フラップ１７にロックされ、蓋部全体として強固でバランスよく安定した係止状態にな
るから、通販用包装箱等として高い信頼性が得られる。
【００３０】
一方、包装箱Ｂ２の開封に際しては、両側のジッパー１３，１３を破断するだけで、ロ
ック部２０ｂ，２０ｂが外側へ抜出可能になってロック解除され、もって外側蓋フラップ
１６及び内側蓋フラップ１７を開いて内部の物品を簡単に取り出せる。また、ジッパー２
３の破断始端部２３ｂが内側蓋フラップ１７の側端に位置して外側に露呈しているため、
箱開封時に該ジッパー２３を破断する際の手掛かりが確保され、またジッパー２３を引き
上げながら破断してゆく際にカバー片２１が自然に横折れ線ｋで上向きに曲折して支障を
生じず、もって該ジッパー１３の破断操作を容易に行える。更に、開封後の包装箱Ｂ２を
通販における返品用包装箱等に再利用できることも、前記第一実施形態と同様である。
【００３１】
なお、内側蓋フラップに設けるロック解除用破断部は、第一及び第二実施形態の包装箱
Ｂ１，Ｂ２ではジッパーにて構成しているが、箱開封時に差込み片のロック部を外側へ抜
出可能にする構造であればよく、破断線の走行パターンを種々設定できると共に、破断だ
けで切取り部分を生じない構造も採用可能である。また、差込み片を差込み口に挿嵌する
際のロック部の強制変形についても、第一及び第二実施形態のように自然状態よりも大き
く曲げる以外に、逆に曲げを小さくしたり、湾曲させる等の様々な変形が可能であり、そ
の変形と戻り形状との違いで差込み口に対する通過状態と通過不能なロック状態の切り換
わりを生じるように設定すればよい。その他、この発明の開封機能付き包装箱においては
、外側蓋フラップ及び内側蓋フラップの形状、差込み片とそのロック部の形状と形成位置
、底部の構造等、細部構成については実施形態以外に種々設計変更可能である。
【図面の簡単な説明】
【００３２】
【図１】この発明の第一実施形態に係る開封機能付き包装箱の組立前のシート形態を示す平面図である。
【図２】同包装箱の封緘前段階の平面図である。
【図３】同包装箱の封緘操作を示す斜視図である。
【図４】同包装箱の封緘状態の斜視図である。
【図５】図４のＶ−Ｖ線の矢視断面図である。
【図６】同包装箱の開封操作を示す斜視図である。
【図７】この発明の第二実施形態に係る開封機能付き包装箱の組立前のシート形態を示す平面図である。
【図８】同包装箱の封緘操作を示す斜視図である。
【図９】同包装箱の封緘状態の斜視図である。
【符号の説明】
【００３３】
Ｂ１・・・・包装箱
Ｂ２・・・・包装箱
１・・・・・前板部
２・・・・・後板部
３・・・・・左側板部
４・・・・・右側板部
６・・・・・外側蓋フラップ
７・・・・・内側蓋フラップ
７ａ・・・・切込み（破断始端部）
１０・・・・差込み片
１０ｂ・・・ロック部
１１・・・・カバー片
１２・・・・差込み口
１２ａ・・・主スリット部
１２ｂ・・・副スリット部
１３・・・・ジッパー
１３ａ・・・破断線
１６・・・・外側蓋フラップ
１７・・・・内側蓋フラップ
２０・・・・差込み片
２０ｂ・・・ロック部
２１・・・・カバー片
２２・・・・差込み口
２２ａ・・・主スリット部
２２ｂ・・・副スリット部
２３・・・・ジッパー
２３ａ・・・破断線
２３ｂ・・・破断始端部
【図１】
2006168732.tif 000003
【図２】
2006168732.tif 000004
【図３】
2006168732.tif 000005
【図４】
2006168732.tif 000006
【図５】
2006168732.tif 000007
【図６】
2006168732.tif 000008
【図７】
2006168732.tif 000009
【図８】
2006168732.tif 000010
【図９】
2006168732.tif 000011